(57)【特許請求の範囲】
【請求項１】
遠隔操作用のリモコン装置からの操作信号に基づき、情報を表示部に表示する表示装置において、
前記リモコン装置からの操作信号を受信する受信部と、
前記受信部で受信された操作信号の強度に応じて、前記表示部に表示される情報の表示サイズを変更する制御部と、
を備え、
前記制御部は、前記受信部で受信された操作信号の強度が弱いほど、前記表示部に表示される情報の表示サイズをより大きくするとともに、前記表示部に表示される情報の表示サイズに応じた行数で当該情報を表示させ、前記行数が前記表示サイズに応じて減じた場合は、減じた行に表示される文字列を残された行に表示される文字列に連結し、当該連結した文字列をスクロール表示させる表示装置。
【請求項２】
前記リモコン装置からの操作信号は不可視光であり、
前記受信部は、前記不可視光の光量を当該光量に応じた電圧値に変換し、
前記制御部は、当該電圧値に応じて、前記表示部に表示される情報の表示サイズを変更する、
請求項１に記載の表示装置。
【請求項３】
請求項１又は２に記載の表示装置を備える情報記録／再生装置。
【請求項４】
前記表示部に表示される情報は、当該情報記録／再生装置において処理が実行されているコンテンツに関わる情報であり、
前記制御部は、前記処理が実行されているコンテンツに関わる情報を表す文字列を連結する、
請求項３に記載の情報記録／再生装置。
【請求項５】
前記制御部は、前記表示部に表示される情報のうち、コンテンツに対する実行中の処理に関する情報を、文字列を連結させずに表示させる、
請求項４に記載の情報記録／再生装置。
【請求項６】
遠隔操作用のリモコン装置からの操作信号に基づき、情報を表示部に表示する表示方法において、
受信部により前記リモコン装置からの操作信号を受信し、
前記受信部で受信された操作信号の強度に応じて、前記表示部に表示される情報の表示サイズを変更する表示方法であって、
前記受信部で受信された操作信号の強度が弱いほど、前記表示部に表示される情報の表示サイズをより大きくするとともに、前記表示部に表示される情報の表示サイズに応じた行数で当該情報を表示させ、前記行数が前記表示サイズに応じて減じた場合は、減じた行に表示される文字列を残された行に表示される文字列に連結し、当該連結した文字列をスクロール表示させる表示方法。
【請求項７】
遠隔操作用のリモコン装置からの操作信号に基づき、情報を表示部に表示する表示装置に搭載されるコンピュータのプログラムにおいて、
前記コンピュータを、
前記リモコン装置からの操作信号を受信する受信部、
前記受信部で受信された操作信号の強度に応じて、前記表示部に表示される情報の表示サイズを変更する制御部、
として機能させるためのプログラムであって、
前記制御部は、前記受信部で受信された操作信号の強度が弱いほど、前記表示部に表示される情報の表示サイズをより大きくするとともに、前記表示部に表示される情報の表示サイズに応じた行数で当該情報を表示させ、前記行数が前記表示サイズに応じて減じた場合は、減じた行に表示される文字列を残された行に表示される文字列に連結し、当該連結した文字列をスクロール表示させるプログラム。
【発明の詳細な説明】
【技術分野】
【０００１】
本発明は、表示装置、情報記録／再生装置、表示方法及びプログラムに関する。
【背景技術】
【０００２】
従来、音楽や動画等を記録／再生する情報記録／再生装置では、本体に設けられた表示部に操作内容や楽曲名等の情報を表示するものが多い。リモコン装置（Remote Controller）によって遠隔操作が可能な場合には、リモコン装置における操作内容も表示部に表示される。
【０００３】
例えば、ＣＤ（Compact Disc）再生機能を有するオーディオ装置に対して、リモコン装置において再生キーが押下された場合には、リモコン装置からの操作信号を受信したオーディオ装置はＣＤの再生を開始するとともに、再生中であることを示す「PLAY」等の文字や再生動作を開始した楽曲の楽曲番号や楽曲タイトル、アーティスト名等を表示部に表示する。ＣＤの再生に限らず、オーディオ装置が放送受信機能を有する場合には、受信周波数や放送局名を表示し、オーディオ装置がＨＤＤ（Hard Disk Drive）やメモリに記録されたオーディオデータの再生を行う場合には、それらの楽曲名やアーティスト名等のタグ情報に記録された情報を表示する。
【０００４】
ユーザがオーディオ装置から離れた場所にいる場合には、オーディオ装置の表示部に表示される文字データを見ることは困難である。そこで、リモコン装置にディスプレイを設け、オーディオ装置から受信した文字データをリモコン装置側で表示するものが提案されている（特許文献１参照）。
【特許文献１】特開２００１−２１８２８３号公報
【発明の開示】
【発明が解決しようとする課題】
【０００５】
しかしながら、リモコン装置にディスプレイが設けられていない場合には、情報記録／再生装置本体に設けられている表示部に楽曲名等の情報を表示するしかなかった。また、携帯電話等で多用されているように、表示部における表示サイズを変更可能な装置も存在するが、ユーザから表示サイズの変更指示がない限り、表示部に表示される情報の表示サイズは一定であった。
【０００６】
したがって、従来は、ユーザが表示部の近くから操作する場合でも、表示部から離れた位置から操作する場合でも、同じ表示サイズで表示されていた。特に、ＨＤＤやメモリ等に記録された圧縮オーディオデータには、予めＣＤＤＢ（ＣＤ DataBase）等により楽曲名やアーティスト名、アルバム名等が付与されており、表示すべき文字数が多いため、ユーザが情報記録／再生装置から離れた位置にいる場合には、表示内容を視認することが困難であった。
【０００７】
本発明は上記の従来技術における問題に鑑みてなされたものであって、ユーザからの距離に応じた表示サイズで表示を行うことを課題とする。
【課題を解決するための手段】
【０００８】
上記課題を解決するために、請求項１に記載の発明は、遠隔操作用のリモコン装置からの操作信号に基づき、情報を表示部に表示する表示装置において、前記リモコン装置からの操作信号を受信する受信部と、前記受信部で受信された操作信号の強度に応じて、前記表示部に表示される情報の表示サイズを変更する制御部と、を備え、前記制御部は、前記受信部で受信された操作信号の強度が弱いほど、前記表示部に表示される情報の表示サイズをより大きくするとともに、前記表示部に表示される情報の表示サイズに応じた行数で当該情報を表示させ、前記行数が前記表示サイズに応じて減じた場合は、減じた行に表示される文字列を残された行に表示される文字列に連結し、当該連結した文字列をスクロール表示させる。
【０００９】
請求項２に記載の発明は、請求項１に記載の表示装置において、前記リモコン装置からの操作信号は不可視光であり、前記受信部は、前記不可視光の光量を当該光量に応じた電圧値に変換し、前記制御部は、当該電圧値に応じて、前記表示部に表示される情報の表示サイズを変更する。
【００１０】
請求項３に記載の発明は、請求項１又は２に記載の表示装置を備える情報記録／再生装置である。
【００１１】
請求項４に記載の発明は、請求項３に記載の情報記録／再生装置において、前記表示部に表示される情報は、当該情報記録／再生装置において処理が実行されているコンテンツに関わる情報であり、前記制御部は、前記処理が実行されているコンテンツに関わる情報を表す文字列を連結する。
【００１２】
請求項５に記載の発明は、請求項４に記載の情報記録／再生装置において、前記制御部は、前記表示部に表示される情報のうち、コンテンツに対する実行中の処理に関する情報を、文字列を連結させずに表示させる。
【００１３】
請求項６に記載の発明は、遠隔操作用のリモコン装置からの操作信号に基づき、情報を表示部に表示する表示方法において、受信部により前記リモコン装置からの操作信号を受信し、前記受信部で受信された操作信号の強度に応じて、前記表示部に表示される情報の表示サイズを変更する表示方法であって、前記受信部で受信された操作信号の強度が弱いほど、前記表示部に表示される情報の表示サイズをより大きくするとともに、前記表示部に表示される情報の表示サイズに応じた行数で当該情報を表示させ、前記行数が前記表示サイズに応じて減じた場合は、減じた行に表示される文字列を残された行に表示される文字列に連結し、当該連結した文字列をスクロール表示させる。
【００１４】
請求項７に記載の発明は、遠隔操作用のリモコン装置からの操作信号に基づき、情報を表示部に表示する表示装置に搭載されるコンピュータのプログラムにおいて、前記コンピュータを、前記リモコン装置からの操作信号を受信する受信部、前記受信部で受信された操作信号の強度に応じて、前記表示部に表示される情報の表示サイズを変更する制御部、として機能させるためのプログラムであって、前記制御部は、前記受信部で受信された操作信号の強度が弱いほど、前記表示部に表示される情報の表示サイズをより大きくするとともに、前記表示部に表示される情報の表示サイズに応じた行数で当該情報を表示させ、前記行数が前記表示サイズに応じて減じた場合は、減じた行に表示される文字列を残された行に表示される文字列に連結し、当該連結した文字列をスクロール表示させる。
【発明の効果】
【００１５】
本発明によれば、受信部で受信された操作信号の強度に応じて、表示部に表示される情報の表示サイズを変更するので、ユーザからの距離に応じた表示サイズで表示を行うことができる。
【発明を実施するための最良の形態】
【００１６】
［第１の実施の形態］
まず、本発明の第１の実施の形態における情報記録／再生装置としての楽曲記録再生装置１００について説明する。
【００１７】
図１に、楽曲記録再生装置１００の機能的構成を示す。図１に示すように、楽曲記録再生装置１００は、制御部１０、操作部２０、表示部３０、受信部４０、記憶部５０、再生部６０、記録部７０等を備えて構成され、各部はバスにより接続されている。
【００１８】
制御部１０は、ＣＰＵ（Central Processing Unit）、ＲＡＭ（Random Access Memory）等から構成され、楽曲記録再生装置１００の各部の処理動作を統括的に制御する。具体的には、ＣＰＵは、操作部２０から入力される操作信号又は受信部４０により受信されるリモコン装置２００からの操作信号に応じて、記憶部５０に記憶されている各種処理プログラムを読み出し、ＲＡＭ内に形成されたワークエリアに展開し、当該プログラムとの協働により各種処理を行う。
【００１９】
操作部２０は、ユーザによる操作を受け付ける機能部であり、方向指示キーや決定キー、再生キー等の各種キーを備え、各キーが押下された場合に、各キーに対応する操作信号を制御部１０に出力する。
【００２０】
表示部３０は、ＬＣＤ（Liquid Crystal Display）を備え、制御部１０から出力される制御信号に従って、各種画面を表示する。
【００２１】
受信部４０は、リモコン装置２００から送信された操作信号を受信し、その受信された操作信号の強度に応じた電圧値をデジタル信号に変換して制御部１０に出力する。
【００２２】
ここで、図２に、リモコン操作信号として赤外光（不可視光）を用いた場合の受信部４０の構成例を示す。図２に示すように、受信部４０は、リモコン装置２００から送信された赤外光を受光するフォトトランジスタ４１、負荷抵抗４２、Ａ／Ｄ変換器４３を備える。
【００２３】
いま、フォトトランジスタ４１にリモコン装置２００から送信された赤外光が入射すると、フォトトランジスタ４１はＯＮとなり、コレクタ電流が流れる。このコレクタ電流はフォトトランジスタ４１に入射された赤外光の光量（すなわち、操作信号の強度）に対応した値となる。このコレクタ電流の増減に対応して負荷抵抗４２の両端の電圧値Ｖｄが変化する。この電圧値Ｖｄは、Ａ／Ｄ変換器４３によりデジタル信号に変換されて出力される。
【００２４】
具体的には、フォトトランジスタ４１が受ける赤外光の光量が多いほど（すなわち、リモコン装置２００が近いほど）、受信部４０から制御部１０に出力される電圧値Ｖｄは高くなり、フォトトランジスタ４１が受ける赤外光の光量が少ないほど（すなわち、リモコン装置２００が遠いほど）、受信部４０から制御部１０に出力される電圧値Ｖｄは低くなる。
【００２５】
記憶部５０は、各種データを記憶するための記憶装置である。記憶部５０には、制御部１０により実行される各種処理プログラム、音楽ファイル、表示サイズ対応テーブル５１（図３参照）等が記憶される。
【００２６】
音楽ファイルは、ＭＰ３（MPEG Audio Layer-3）、ＷＭＡ（Windows Media(登録商標) Audio）、ＡＡＣ（Advanced Audio Coding）等の形式の音楽データである。音楽ファイルのタグ情報には、楽曲名、アーティスト名、アルバム名等が含まれている。
【００２７】
表示サイズ対応テーブル５１は、受信部４０から出力される電圧値Ｖｄと表示サイズとを対応付けたテーブルである。図３に、表示サイズ対応テーブル５１の例を示す。図３に示すように、電圧値ＶｄがＶ１以上の場合には表示サイズは「小」、電圧値ＶｄがＶ１未満の場合には表示サイズは「大」である。Ｖ１の値は、予め定められている。
【００２８】
再生部６０は、制御部１０からの指示に従って、記憶部５０に記憶されている再生対象の音楽ファイルに基づいて、音楽データをアナログ信号に変換し、スピーカから音声を出力する。また、再生部６０は、ＣＤやＭＤ（MiniDisc）等に記録された音楽ファイルの再生を行うこととしてもよい。
【００２９】
記録部７０は、制御部１０からの指示に従って、音楽ファイルをＣＤ−Ｒ（ＣＤ−Recordable）やＭＤ等に記録する。
【００３０】
制御部１０は、操作部２０又はリモコン装置２００からの操作信号に基づき、情報を表示部３０に表示させる。ここで、「情報」には、操作信号に応じて表示される情報だけでなく、楽曲記録再生装置１００が実行中の処理に関する情報も含まれる。
【００３１】
制御部１０は、受信部４０によりリモコン装置２００からの操作信号が受信された場合に、受信部４０で受信された操作信号の強度に応じて、表示部３０に表示される情報の表示サイズを変更する。制御部１０は、受信部４０で受信された操作信号の強度が弱いほど、表示部３０に表示される情報の表示サイズをより大きくする。操作信号の強度は、受信部４０から出力される電圧値Ｖｄに対応しており、操作信号の強度が強いほど、電圧値Ｖｄが大きくなる。
【００３２】
具体的には、制御部１０は、受信部４０により操作信号が受信された場合、受信部４０から出力される電圧値ＶｄがＶ１以上のときには表示サイズ「小」で表示を行わせ、受信部４０から出力される電圧値ＶｄがＶ１未満のときには表示サイズ「大」で表示を行わせる。
【００３３】
また、制御部１０は、表示部３０に表示される情報の表示サイズに応じた行数で情報を表示させる。具体的には、表示サイズが「小」の場合には４行で表示させ、表示サイズが「大」の場合には２行で表示させる。なお、表示サイズに応じた行数は、適宜変更可能である。
【００３４】
リモコン装置２００は、楽曲記録再生装置１００を遠隔操作するためのものであり、制御部、操作部、記憶部、送信部等を備え、ユーザが操作部において操作した内容に応じた操作信号を送信する。具体的には、リモコン装置２００は、操作内容に応じて変調された赤外光を出力する。
【００３５】
次に、楽曲記録再生装置１００の動作を説明する。
図４は、楽曲記録再生装置１００において実行される処理を示すフローチャートである。この処理は、制御部１０のＣＰＵと、記憶部５０に記憶されているプログラムとの協働によるソフトウェア処理によって実現される。
【００３６】
まず、制御部１０により、受信部４０においてリモコン装置２００からの操作信号が受信されたか否かが判断される（ステップＳ１）。操作信号が受信されない場合には（ステップＳ１；ＮＯ）、ステップＳ１に戻る。
【００３７】
操作信号が受信された場合には（ステップＳ１；ＹＥＳ）、制御部１０により、受信部４０から出力された電圧値ＶｄがＶ１以上であるか否かが判断される（ステップＳ２）。
【００３８】
受信部４０から出力された電圧値ＶｄがＶ１以上である場合には（ステップＳ２；ＹＥＳ）、制御部１０により、表示サイズ対応テーブル５１が参照され、「Ｖ１以上」に対応する表示サイズ「小」が読み出される。そして、制御部１０により、表示部３０に表示される情報の表示サイズが「小」にされる（ステップＳ３）。
【００３９】
一方、受信部４０から出力された電圧値ＶｄがＶ１未満である場合には（ステップＳ２；ＮＯ）、制御部１０により、表示サイズ対応テーブル５１が参照され、「Ｖ１未満」に対応する表示サイズ「大」が読み出される。そして、制御部１０により、表示部３０に表示される情報の表示サイズが「大」にされる（ステップＳ４）。
以上で処理が終了する。
【００４０】
図５（ａ）及び（ｂ）に、表示部３０に表示される画面例を示す。ここでは、楽曲名が「MUSICTITLE123」、アルバム名が「ALBUMTITLEAAA」、アーティスト名が「ARTISTNAMEBBB」の音楽ファイルを再生している場合の例を示す。図５（ａ）は、表示サイズ「小」で文字列が表示された場合の例である。表示サイズが「小」の場合には、各情報が４行で表示される。図５（ｂ）は、表示サイズ「大」で文字列が表示された場合の例である。表示サイズが「大」の場合には、各情報が２行で表示されるため、１行目には、再生中であることを示す「PLAY」が常時表示され、２行目には、「MUSICTITLE123  ALBUMTITLEAAA  ARTISTNAMEBBB」という文字列がスクロールして表示される。なお、表示される情報は、文字列に限らず、記号・符号・図形等であってもよい。
【００４１】
以上説明したように、第１の実施の形態の楽曲記録再生装置１００によれば、受信部４０により操作信号が受信された場合に、受信部４０で受信された操作信号の強度に応じて、表示部３０に表示される情報の表示サイズを変更するので、ユーザからの距離に応じた表示サイズで表示を行うことができる。具体的には、操作信号の強度を検出するために、赤外光の光量を当該光量に応じた電圧値Ｖｄに変換する方法を用い、電圧値Ｖｄに応じて、表示部３０に表示される情報の表示サイズを変更することができる。
【００４２】
また、受信部４０で受信された操作信号の強度が弱いほど、表示部３０に表示される情報の表示サイズをより大きくするので、ユーザが楽曲記録再生装置１００から離れた位置から操作を行う場合には、視認しやすいように表示サイズを大きくすることができる。一方、ユーザが楽曲記録再生装置１００に近い位置から操作を行う場合には、表示サイズが小さくても視認可能であるため、情報量を優先させることができる。
【００４３】
［第２の実施の形態］
次に、本発明の第２の実施の形態における情報記録／再生装置としての楽曲記録再生装置について説明する。第２の実施の形態における楽曲記録再生装置は、第１の実施の形態に示した楽曲記録再生装置１００と同様の構成によってなるため、同一の構成部分については同一の符号を付し、その構成については図示及び説明を省略する。以下、第２の実施の形態に特徴的な構成及び処理について説明する。
【００４４】
第１の実施の形態では、表示サイズを２種類設け、受信部４０で受信される操作信号の強度に応じて２段階に表示サイズを変更する場合について説明したが、第２の実施の形態では、表示サイズを３種類設け、受信部４０で受信される操作信号の強度に応じて３段階に表示サイズを変更する場合について説明する。
【００４５】
記憶部５０には、表示サイズ対応テーブル５２が記憶されている。図６に、表示サイズ対応テーブル５２の例を示す。図６に示すように、電圧値ＶｄがＶ２以上の場合には表示サイズは「小」、電圧値ＶｄがＶ３（Ｖ３＜Ｖ２）以上Ｖ２未満の場合には表示サイズは「中」、電圧値ＶｄがＶ３未満の場合には表示サイズは「大」である。Ｖ２及びＶ３の値は、予め定められている。
【００４６】
制御部１０は、受信部４０によりリモコン装置２００からの操作信号が受信された場合に、受信部４０で受信された操作信号の強度に応じて、表示部３０に表示される情報の表示サイズを変更する。制御部１０は、受信部４０で受信された操作信号の強度が弱いほど、表示部３０に表示される情報の表示サイズをより大きくする。操作信号の強度は、受信部４０から出力される電圧値Ｖｄに対応しており、操作信号の強度が強いほど、電圧値Ｖｄが大きくなる。
【００４７】
具体的には、制御部１０は、受信部４０により操作信号が受信された場合、受信部４０から出力される電圧値ＶｄがＶ２以上のときには表示サイズ「小」で表示を行わせ、受信部４０から出力される電圧値ＶｄがＶ３以上Ｖ２未満のときには表示サイズ「中」で表示を行わせ、受信部４０から出力される電圧値ＶｄがＶ３未満のときには表示サイズ「大」で表示を行わせる。
【００４８】
また、制御部１０は、表示部３０に表示される情報の表示サイズに応じた行数で情報を表示させる。具体的には、表示サイズが「小」の場合には４行で表示させ、表示サイズが「中」の場合には３行で表示させ、表示サイズが「大」の場合には２行で表示させる。なお、表示サイズに応じた行数は、適宜変更可能である。
【００４９】
次に、第２の実施の形態の楽曲記録再生装置の動作を説明する。
図７は、第２の実施の形態の楽曲記録再生装置において実行される処理を示すフローチャートである。この処理は、制御部１０のＣＰＵと、記憶部５０に記憶されているプログラムとの協働によるソフトウェア処理によって実現される。
【００５０】
まず、制御部１０により、受信部４０においてリモコン装置２００からの操作信号が受信されたか否かが判断される（ステップＳ１１）。操作信号が受信されない場合には（ステップＳ１１；ＮＯ）、ステップＳ１１に戻る。
【００５１】
操作信号が受信された場合には（ステップＳ１１；ＹＥＳ）、制御部１０により、受信部４０から出力された電圧値ＶｄがＶ２以上であるか否か、Ｖ３以上であるか否かが判断される（ステップＳ１２，ステップＳ１３）。
【００５２】
受信部４０から出力された電圧値ＶｄがＶ２以上である場合には（ステップＳ１２；ＹＥＳ）、制御部１０により、表示サイズ対応テーブル５２が参照され、「Ｖ２以上」に対応する表示サイズ「小」が読み出される。そして、制御部１０により、表示部３０に表示される情報の表示サイズが「小」にされる（ステップＳ１４）。
【００５３】
受信部４０から出力された電圧値ＶｄがＶ３以上Ｖ２未満である場合には（ステップＳ１２；ＮＯ，ステップＳ１３；ＹＥＳ）、制御部１０により、表示サイズ対応テーブル５２が参照され、「Ｖ３以上Ｖ２未満」に対応する表示サイズ「中」が読み出される。そして、制御部１０により、表示部３０に表示される情報の表示サイズが「中」にされる（ステップＳ１５）。
【００５４】
受信部４０から出力された電圧値ＶｄがＶ３未満である場合には（ステップＳ１２；ＮＯ，ステップＳ１３；ＮＯ）、制御部１０により、表示サイズ対応テーブル５２が参照され、「Ｖ３未満」に対応する表示サイズ「大」が読み出される。そして、制御部１０により、表示部３０に表示される情報の表示サイズが「大」にされる（ステップＳ１６）。
以上で処理が終了する。
【００５５】
図８（ａ）、（ｂ）及び（ｃ）に、表示部３０に表示される画面例を示す。ここでは、楽曲名が「MUSICTITLE123」、アルバム名が「ALBUMTITLEAAA」、アーティスト名が「ARTISTNAMEBBB」の音楽ファイルを再生している場合の例を示す。図８（ａ）は、表示サイズ「小」で文字列が表示された場合の例である。表示サイズが「小」の場合には、各情報が４行で表示される。図８（ｂ）は、表示サイズ「中」で文字列が表示された場合の例である。表示サイズが「中」の場合には、各情報が３行で表示されるため、１行目には、再生中であることを示す「PLAY」が常時表示され、２行目には、「MUSICTITLE123」が常時表示され、３行目には、「ALBUMTITLEAAA  ARTISTNAMEBBB」という文字列がスクロールして表示される。図８（ｃ）は、表示サイズ「大」で文字列が表示された場合の例である。表示サイズが「大」の場合には、各情報が２行で表示されるため、１行目には、再生中であることを示す「PLAY」が常時表示され、２行目には、「MUSICTITLE123  ALBUMTITLEAAA  ARTISTNAMEBBB」という文字列がスクロールして表示される。なお、表示される情報は、文字列に限らず、記号・符号・図形等であってもよい。
【００５６】
以上説明したように、第２の実施の形態の楽曲記録再生装置によれば、受信部４０により操作信号が受信された場合に、受信部４０で受信された操作信号の強度に応じて、表示部３０に表示される情報の表示サイズを変更するので、ユーザからの距離に応じた表示サイズで表示を行うことができる。具体的には、操作信号の強度を検出するために、赤外光の光量を当該光量に応じた電圧値Ｖｄに変換する方法を用い、電圧値Ｖｄに応じて、表示部３０に表示される情報の表示サイズを変更することができる。
【００５７】
また、受信部４０で受信された操作信号の強度が弱いほど、表示部３０に表示される情報の表示サイズをより大きくするので、ユーザが楽曲記録再生装置から離れた位置から操作を行う場合には、視認しやすいように表示サイズを大きくすることができる。一方、ユーザが楽曲記録再生装置に近い位置から操作を行う場合には、表示サイズが小さくても視認可能であるため、情報量を優先させることができる。
【００５８】
なお、上記各実施の形態における記述は、本発明に係る情報記録／再生装置の例であり、これに限定されるものではない。装置を構成する各部の細部構成及び細部動作に関しても本発明の趣旨を逸脱することのない範囲で適宜変更可能である。
【００５９】
例えば、上記各実施の形態では、リモコン装置２００から発せられる不可視光として赤外光を用いる場合について説明したが、赤外光以外の不可視光を用いてもよい。
【００６０】
また、上記各実施の形態では、音楽ファイルを記録・再生する装置について説明したが、音楽に限らず、動画等を記録・再生する装置にも適用可能である。また、音楽や動画等の情報の記録（録音・録画）のみを行う情報記録装置や、再生のみを行う情報再生装置にも適用可能である。また、表示サイズの制御対象となる表示装置又は情報記録／再生装置は、家庭や施設等に固定して設置されるものでもよいし、車載用でもよい。
【００６１】
また、上記各実施の形態では、受信部４０により操作信号が受信された場合に、操作信号の強度に応じて、表示サイズを２段階（小、大）又は３段階（小、中、大）に変更する場合について説明したが、より多くの段階に区切って表示サイズを制御することとしてもよい。また、操作信号の強度に応じて、表示サイズをなだらかに変化させることとしてもよい。
【００６２】
以上の説明では、各処理を実行するためのプログラムを格納したコンピュータ読み取り可能な媒体として記憶部５０を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【００６３】
【図１】本発明の第１の実施の形態における楽曲記録再生装置の機能的構成を示すブロック図である。
【図２】受信部の回路構成図である。
【図３】表示サイズ対応テーブルのデータ構成例である。
【図４】第１の実施の形態の楽曲記録再生装置において実行される処理を示すフローチャートである。
【図５】（ａ）及び（ｂ）は、表示部に表示される画面例である。
【図６】表示サイズ対応テーブルのデータ構成例である。
【図７】第２の実施の形態の楽曲記録再生装置において実行される処理を示すフローチャートである。
【図８】（ａ）、（ｂ）及び（ｃ）は、表示部に表示される画面例である。
【符号の説明】
【００６４】
１０  制御部
２０  操作部
３０  表示部
４０  受信部
４１  フォトトランジスタ
４２  負荷抵抗
４３  Ａ／Ｄ変換器
５０  記憶部
５１  表示サイズ対応テーブル
５２  表示サイズ対応テーブル
６０  再生部
７０  記録部
１００  楽曲記録再生装置
２００  リモコン装置
【図１】
0005024013.tif 000002
【図２】
0005024013.tif 000003
【図３】
0005024013.tif 000004
【図４】
0005024013.tif 000005
【図５】
0005024013.tif 000006
【図６】
0005024013.tif 000007
【図７】
0005024013.tif 000008
【図８】
0005024013.tif 000009